(57)【要約】【課題】アスファルト防水層などの床面被覆層を低振動及び低騒音で床面から剥離除去することができる床面被覆層の剥離除去装置を提供する。【解決手段】床面被覆層の剥離除去装置１Ａは、起立刃２と牽引手段１０と浮き上がり抑制手段４とを備える。起立刃２は、被覆層２１の断面にその厚さ方向に当接される切れ刃２ａを前縁に有するとともに、床面２０ａに対して起立状に配置されるものである。牽引手段１０は、床面２０ａに対して起立状に配置された起立刃２をその切れ刃２ａを前側にして床面２０ａに沿って牽引するものである、浮き上がり抑制手段４は、牽引時に起立刃２の前部の床面２０ａからの浮き上がりを抑制するものである。【選択図】図３
2009144459.tif 000002
【特許請求の範囲】
【請求項１】
床面上に敷設された被覆層を床面から剥離除去する床面被覆層の剥離除去装置であって、
被覆層の断面にその厚さ方向に当接される切れ刃を前縁に有するとともに、床面に対して起立状に配置される起立刃と、
床面に対して起立状に配置された起立刃をその切れ刃を前側にして床面に沿って牽引する牽引手段と、
牽引時に起立刃の前部の床面からの浮き上がりを抑制する浮き上がり抑制手段と、
を備えたことを特徴とする床面被覆層の剥離除去装置。
【請求項２】
浮き上がり抑制手段は、切れ刃を前縁に有するとともに床面と被覆層との間に水平に配置される水平刃を備え、且つ該水平刃が起立刃の下端部に固定状態に設けられており、水平刃が床面と被覆層との間に配置された状態で起立刃が牽引手段により牽引されることによって、起立刃の前部の床面からの浮き上がりを抑制するものとなされるとともに、水平刃の切れ刃で床面と被覆層との間を牽引方向に切断するものとなされている請求項１記載の床面被覆層の剥離除去装置。
【請求項３】
起立刃には、その切れ刃の下端位置よりも前方に突出し且つ被覆層の上側に配置される突出部が設けられており、
牽引手段は、牽引条と、該牽引条を巻き取るウインチとを備えるとともに、牽引条の先端側が起立刃の突出部に連結され、ウインチにより牽引条を巻き取ることによって、起立刃を牽引するものとなされている請求項１又は２記載の床面被覆層の剥離除去装置。
【請求項４】
起立刃を下方に押す押し部材が起立刃に設けられている請求項１〜３のいずれかに記載の床面被覆層の剥離除去装置。
【請求項５】
押し部材は、起立刃の後部に上方に突出して設けられるとともに、起立刃の進行方向を調整する操舵部材としても機能するものとなされている請求項４記載の床面被覆層の剥離除去装置。
【請求項６】
起立刃の突出部の左右両側に配置されるとともに牽引時に被覆層上を走行する走行手段が、起立刃の突出部に連結されている請求項３記載の床面被覆層の剥離除去装置。
【請求項７】
起立刃の切れ刃の上側に、被覆層の切断時に被覆層の切れ刃との当接部から上方へ飛び出る被覆層の粉砕粒を遮蔽する遮蔽部材が配置されている請求項１〜６のいずれかに記載の床面被覆層の剥離除去装置。
【請求項８】
床面上に敷設された被覆層を床面から剥離除去する床面被覆層の剥離除去方法であって、
前縁に切れ刃を有する起立刃を、床面に対して起立状に且つ切れ刃を被覆層の断面にその厚さ方向に当接させて配置する起立刃配置工程と、
起立刃配置工程の後で、起立刃をその切れ刃を前側にして床面に沿って牽引することにより、被覆層を起立刃の切れ刃で牽引方向に切断する牽引工程と、
を含むことを特徴とする床面被覆層の剥離除去方法。
【請求項９】
起立刃の下端部には、前縁に切れ刃を有する水平刃が固定状態に設けられており、
牽引工程では、水平刃が床面と被覆層との間に水平に配置された状態で起立刃を牽引することにより、被覆層を起立刃の切れ刃で牽引方向に切断するとともに、床面と被覆層との間を水平刃の切れ刃で牽引方向に切断する請求項８記載の床面被覆層の剥離除去方法。
【発明の詳細な説明】
【技術分野】
【０００１】
本発明は、屋上の床面や屋内の床面等に敷設された被覆層を床面から剥離除去する装置及び方法に関する。
【背景技術】
【０００２】
一般にコンクリート建築物の屋上の床面上には、漏水を防止するために防水層（遮水層を含む）が敷設されている。
【０００３】
この種の防水層は、建築物の老朽化に伴い雨漏りなどが生じるため、一般に１０〜１５年経過後に防水層を床面から剥離除去して新しい防水層を敷設することが行われている。
【０００４】
防水層を床面から除去する方法として、例えば特開２００１−１４０４１２号公報（特許文献１）には、床面に接合固定された熱可塑性樹脂からなる防水層（防水シート）を除去する方法が開示されている。この方法で除去される防水層は、絶縁工法により床面上に接合固定されたものであり、すなわち、この防水層はその複数の部分のみがディスク状の固定部材を介して床面に接合固定されたものである。そして、固定部材の周りで防水層を環状に打ち抜くことにより、防水層の床面からの除去を可能にする方法が同公報に開示されている。
【０００５】
而して、防水層には、上述のような樹脂やゴムで形成されたものの他に、アスファルトを主体として形成されたもの、いわゆるアスファルト防水層がある。このアスファルト防水層は床面の全面に接合固定された状態で床面上に敷設されている。
【０００６】
従来、アスファルト防水層を床面から剥離除去する場合は、主に、電動ハツリ機により防水層に局部的に激しい振動を加えて防水層を粉砕切断してから、防水層を引き剥がすことが行われている。
【特許文献１】特開２００１−１４０４１２号公報
【発明の開示】
【発明が解決しようとする課題】
【０００７】
そのため、従来の方法では、防水層を切断する際に非常に大きな振動や騒音が発生し、振動・騒音問題を引き起こすという難点があった。
【０００８】
本発明は、上述した技術背景に鑑みてなされたもので、その目的は、樹脂やゴムで形成された防水層はもとより、更にアスファルト防水層などの被覆層を低振動及び低騒音で剥離除去することができる床面被覆層の剥離除去装置及び床面被覆層の剥離除去方法を提供することにある。
【課題を解決するための手段】
【０００９】
本発明は以下の手段を提供する。
【００１０】
［１］  床面上に敷設された被覆層を床面から剥離除去する床面被覆層の剥離除去装置であって、
被覆層の断面にその厚さ方向に当接される切れ刃を前縁に有するとともに、床面に対して起立状に配置される起立刃と、
床面に対して起立状に配置された起立刃をその切れ刃を前側にして床面に沿って牽引する牽引手段と、
牽引時に起立刃の前部の床面からの浮き上がりを抑制する浮き上がり抑制手段と、
を備えたことを特徴とする床面被覆層の剥離除去装置。
【００１１】
［２］  浮き上がり抑制手段は、切れ刃を前縁に有するとともに床面と被覆層との間に水平に配置される水平刃を備え、且つ該水平刃が起立刃の下端部に固定状態に設けられており、水平刃が床面と被覆層との間に配置された状態で起立刃が牽引手段により牽引されることによって、起立刃の前部の床面からの浮き上がりを抑制するものとなされるとともに、水平刃の切れ刃で床面と被覆層との間を牽引方向に切断するものとなされている前項１記載の床面被覆層の剥離除去装置。
【００１２】
［３］  起立刃には、その切れ刃の下端位置よりも前方に突出し且つ被覆層の上側に配置される突出部が設けられており、
牽引手段は、牽引条と、該牽引条を巻き取るウインチとを備えるとともに、牽引条の先端側が起立刃の突出部に連結され、ウインチにより牽引条を巻き取ることによって、起立刃を牽引するものとなされている前項１又は２記載の床面被覆層の剥離除去装置。
【００１３】
［４］  起立刃を下方に押す押し部材が起立刃に設けられている前項１〜３のいずれかに記載の床面被覆層の剥離除去装置。
【００１４】
［５］  押し部材は、起立刃の後部に上方に突出して設けられるとともに、起立刃の進行方向を調整する操舵部材としても機能するものとなされている前項４記載の床面被覆層の剥離除去装置。
【００１５】
［６］  起立刃の突出部の左右両側に配置されるとともに牽引時に被覆層上を走行する走行手段が、起立刃の突出部に連結されている前項３記載の床面被覆層の剥離除去装置。
【００１６】
［７］  起立刃の切れ刃の上側に、被覆層の切断時に被覆層の切れ刃との当接部から上方へ飛び出る被覆層の粉砕粒を遮蔽する遮蔽部材が配置されている前項１〜６のいずれかに記載の床面被覆層の剥離除去装置。
【００１７】
［８］  床面上に敷設された被覆層を床面から剥離除去する床面被覆層の剥離除去方法であって、
前縁に切れ刃を有する起立刃を、床面に対して起立状に且つ切れ刃を被覆層の断面にその厚さ方向に当接させて配置する起立刃配置工程と、
起立刃配置工程の後で、起立刃をその切れ刃を前側にして床面に沿って牽引することにより、被覆層を起立刃の切れ刃で牽引方向に切断する牽引工程と、
を含むことを特徴とする床面被覆層の剥離除去方法。
【００１８】
［９］  起立刃の下端部には、前縁に切れ刃を有する水平刃が固定状態に設けられており、
牽引工程では、水平刃が床面と被覆層との間に水平に配置された状態で起立刃を牽引することにより、被覆層を起立刃の切れ刃で牽引方向に切断するとともに、床面と被覆層との間を水平刃の切れ刃で牽引方向に切断する前項８記載の床面被覆層の剥離除去方法。
【発明の効果】
【００１９】
本発明は以下の効果を奏する。
【００２０】
［１］の発明に係る床面被覆層の剥離除去装置は、被覆層の断面にその厚さ方向に当接される切れ刃を前縁に有するとともに、床面に対して起立状に配置される起立刃と、床面に対して起立状に配置された起立刃をその切れ刃を前側にして床面に沿って牽引する牽引手段と、を備えている。したがって、この装置によれば、床面に対して起立状に配置された起立刃を床面に沿って牽引手段により牽引することによって、起立刃の切れ刃で被覆層を床面に沿う方向に切断することができる。これにより、電動ハツリ機を用いた従来の剥離除去方法よりも低振動及び低騒音で被覆層を剥離除去することができる。
【００２１】
しかも、この装置は、牽引時に起立刃の前部の床面からの浮き上がりを抑制する浮き上がり抑制手段を備えている。したがって、牽引時に起立刃の前部が床面から浮き上がってしまって起立刃の切れ刃で被覆層を切断することができなくなる不具合を、浮き上がり抑制手段により解消することができる。これにより、被覆層を起立刃の切れ刃で確実に切断することができる。
【００２２】
［２］の発明では、浮き上がり抑制手段は、起立刃の下端部に固定状態に設けられた所定の水平刃を備えるとともに、水平刃が床面と被覆層との間に配置された状態で起立刃が牽引手段により牽引されることにより、起立刃の前部の床面からの浮き上がりを抑制するものとなされるとともに、水平刃の切れ刃で床面と被覆層との間を牽引方向に切断するものとなされている。これにより、起立刃の前部の床面からの浮き上がりを確実に抑制することができるし、その上、水平刃の切れ刃で床面と被覆層との間を切断することができるから、被覆層の剥離除去作業を更に容易に行うことができる。
【００２３】
しかも、起立刃の下端部に水平刃が固定状態に設けられているので、牽引時に起立刃が左右方向に倒れるのを水平刃によって抑制することができ、これにより、被覆層の切断を更に容易に行うことができる。
【００２４】
［３］の発明では、牽引手段は、牽引条と、該牽引条を巻き取るウインチとを備えるとともに、ウインチにより牽引条を巻き取ることにより、起立刃を牽引するものとなされているので、起立刃を牽引方向に確実に牽引することができる。
【００２５】
しかも、牽引条の先端側が、起立刃の切れ刃の下端位置よりも前方に突出した突出部に連結されているので、起立刃の前部の床面からの浮き上がりを更に確実に抑制することができる。
【００２６】
［４］の発明では、起立刃を下方に押す押し部材が起立刃に設けられているので、起立刃を押し部材により下方向に押した状態で起立刃を牽引することにより、起立刃の前部の床面からの浮き上がりを更に一層確実に抑制することができるし、更に起立刃の後部の床面からの浮き上がりについても抑制することができる。これにより、被覆層を起立刃の切れ刃で更に確実に切断することができる。
【００２７】
［５］の発明では、押し部材は、起立刃の後部に上方に突出して設けられているので、押し部材により起立刃の後部を下方向に確実に押すことができ、もって起立刃の後部の床面からの浮き上がりを確実に抑制することができる。
【００２８】
しかも、押し部材は、起立刃の進行方向を調整する操舵部材としても機能するものとなされている。したがって、牽引時に押し部材を操作することにより起立刃の進行方向を所望する方向に調整することができる。
【００２９】
［６］の発明では、起立刃の突出部の左右両側に配置されるとともに牽引時に被覆層上を走行する走行手段が、起立刃の突出部に連結されているので、牽引時に起立刃の後部を下方向に必ずしも押さなくても、起立刃の後部の床面からの浮き上がりを抑制することができる。したがって、例えば、被覆層の上方に押し部材が干渉する障害物が存在している場合であっても、障害物に関係なく当該被覆層を切断することができる。
【００３０】
［７］の発明では、起立刃の切れ刃の上側に、被覆層の切断時に被覆層の切れ刃との当接部から上方へ飛び出る被覆層の粉砕粒を遮蔽する遮蔽部材が配置されている。したがって、被覆層の粉砕粒が外部へ飛び出さないように粉砕粒を遮蔽部材によって遮蔽することができ、これにより、例えば、押し部材を操作している作業者の顔等に粉砕粒が当たらないようにすることができる。
【００３１】
［８］の発明では、被覆層を低振動及び低騒音で剥離除去することができる。
【００３２】
［９］の発明では、水平刃が床面と被覆層との間に水平に配置された状態で起立刃を牽引することにより、起立刃の前部の床面からの浮き上がりを確実に防止できる。さらに、水平刃の切れ刃で床面と被覆層との間を切断するから、被覆層の床面からの剥離除去作業を更に容易に行うことができる。
【発明を実施するための最良の形態】
【００３３】
次に、本発明の幾つかの実施形態について図面を参照して以下に説明する。なお、以下に示す実施形態において、前、後、左及び右方向とは、牽引手段による起立刃の牽引方向に対する方向である。
【００３４】
図１〜７は、本発明の第１実施形態に係る床面被覆層の剥離除去装置１Ａを説明する図である。
【００３５】
本実施形態の装置１Ａは、図３に示すように、被覆層として、コンクリート建築物の屋上の床面上に敷設された防水層２１を剥離除去するためのものである。本実施形態では、防水層２１が敷設された床面２０ａは、コンクリート建築物における屋上の躯体２０の上面からなる。この床面２０ａは平坦で且つ水平に形成されている。
【００３６】
防水層２１は、詳述するとアスファルトを主体として形成されたもの、すなわちアスファルト防水層である。この防水層２１は、互いに積層されて接着一体化された複数（図面では３つ）の層から構成されたものである。そして、この防水層２１は、トーチ工法によって床面２０ａの全面に接合固定された状態に床面２０ａ上に敷設されており、更にパラペット２３の表面にも防水層２１が敷設されている。この防水層２１の厚さＨは、例えば５〜５０ｍｍである（図５及び６参照）。
【００３７】
本実施形態の装置１Ａは、図１〜４に示すように、起立刃２、牽引手段１０、浮き上がり抑制手段４、押し部材８などを備えている。
【００３８】
起立刃２は、図５及び図６に示すように、側面視略台形の平板状に形成されるとともに、床面２０ａに対して起立状に配置されるものであり、本実施形態では床面２０ａに対して垂直に配置されるものである。起立刃２の刃元の厚さＤ１は、例えば２〜６ｍｍに設定されており、詳述すると例えば３ｍｍに設定されている。また、起立刃２の下端から上端までの高さは、防水層２１の厚さＨよりも大きく設定されており、具体的には例えば３０〜８０ｍｍに設定されている。また、起立刃２の材質は、例えば、ステンレス鋼等の鋼や鉄である。
【００３９】
起立刃２の前縁には、防水層２１の断面に防水層２１の厚さ方向に当接される切れ刃２ａが、起立刃２の前縁の下端から上端まで真直に延びて形成されている。この切れ刃２ａは、その左右両側面にそれぞれ刃面が形成された両刃からなる。この切れ刃２ａの断面角度（即ち切れ刃２ａの左右両刃面間の角度）は、例えば１５〜３０°に設定されており、詳述すると例えば２０°に設定されている。
【００４０】
牽引手段１０は、床面２０ａに対して起立状に配置された起立刃２をその切れ刃２ａを前側にして床面２０ａに沿って牽引するものである。矢印１５は、牽引手段１０による起立刃２の牽引方向を示している。この牽引手段１０により起立刃２が牽引されることによって、起立刃２の切れ刃２ａに、防水層２１を床面２０ａに沿う方向（即ち防水層２１の延びる方向）に切断するための切断力が付与され、この切断力によって起立刃２の切れ刃２ａで防水層２１を牽引方向１５（即ち床面２０ａに沿う方向）に切断しうるものとなされている。この牽引手段１０の詳細な構成については後述する。
【００４１】
起立刃２の切れ刃２ａは、図５に示すように、床面２０ａに垂直な方向に対して牽引方向１５後側に傾斜している。この切れ刃２ａの傾斜角θは１５〜４５°に設定されており、詳述すると３０°に設定されている。この傾斜角θを上記の範囲に設定することにより、防水層２１の切断時における切断抵抗を低減することができ且つ防水層２１を良好に切断することができる。ただし本発明は、傾斜角θが上記の範囲であることに限定されるものではない。
【００４２】
浮き上がり抑制手段４は、牽引手段１０による起立刃２の牽引時に起立刃２の前部の床面２０ａからの浮き上がりを抑制するためのものであり、図５及び６に示すように、床面２０ａと防水層２１との間に水平（詳述すると床面２０ａに対して平行）に配置される平板状の水平刃３を備えている。
【００４３】
この水平刃３は平面視長方形状に形成されている。また、水平刃３の材質は、例えば、ステンレス鋼等の鋼や鉄である。また、水平刃３の刃元の厚さＤ２は、例えば２〜６ｍｍに設定されており、詳述すると例えば３ｍｍに設定されている。水平刃３の前後方向の長さＥは、例えば５０〜２００ｍｍに設定されており、詳述すると例えば１８５ｍｍに設定されている。水平刃３の幅Ｃ（即ち水平刃３の左右方向の長さ）は、例えば１０〜３００ｍｍに設定されており、詳述すると例えば１００ｍｍに設定されている。
【００４４】
この水平刃３の前縁には、図１に示すように、切れ刃３ａが水平刃３の前縁の左端から右端まで真直に延びて形成されている。さらに、この切れ刃３ａは、牽引方向１５に対して直交する方向（即ち左右方向）に延びている。そして、この水平刃３の左右方向中間部に起立刃２の下端が、その全長さ領域に亘って且つ水平刃３に対して起立刃２が垂直になるように固定されている。本実施形態では、図６に示すように、起立刃２の下端に水平刃３が起立刃２に対して断面逆Ｔ字状をなすように一体形成されている。また、図５に示すように、起立刃２の前後方向における起立刃２の切れ刃２ａの下端位置Ｑは、水平刃３の切れ刃３ａの刃先位置と略一致している。
【００４５】
水平刃３の切れ刃３ａは、その上面だけに刃面が形成された片刃からなる。この切れ刃３ａの断面角度は、例えば２０〜６０°に設定されており、詳述すると例えば３０°に設定されている。水平刃３及びその切れ刃３ａの下面はともに平坦に形成されている。
【００４６】
そして、上述した浮き上がり抑制手段４は、水平刃３が床面２０ａと防水層２１との間に水平に配置された状態で起立刃２が牽引手段１０によって床面２０ａに沿って牽引されることにより、起立刃２の前部の床面２０ａからの浮き上がりを抑制するものとなされており、さらに、水平刃３の切れ刃３ａで床面２０ａと防水層２１との間を牽引方向１５に床面２０ａに沿って切断するものとなされている。
【００４７】
図１に示すように、起立刃２の上端部には、起立刃２の左右両側においてそれぞれ前後方向に延びた左右一対の遮蔽部材５、５が、その前部が起立刃２の切れ刃２ａの下端位置Ｑよりも前方に真直に突出した状態にしてボルト９ａ及びナット９ｂにより２箇所で連結固定されている（図５参照）。
【００４８】
各遮蔽部材５は、起立刃２の切れ刃２ａで防水層２１を切断する時に防水層２１の切れ刃２ａとの当接部から上方に飛び出る防水層２１の小さな粉砕粒（図示せず）を遮蔽するものであり、断面Ｌ字状の鋼製アングル材から形成されている。
【００４９】
両遮蔽部材５、５は起立刃２の上端部に次のように連結固定されている。すなわち、図２、５及び６に示すように、左右一対の遮蔽部材５、５の間に起立刃２の上端部を挟んで両遮蔽部材５、５を断面Ｔ字状をなすように組み付け、この組付状態で、一方の遮蔽部材５と起立刃２の上端部と他方の遮蔽部材５とを順次連通するようにボルト９ａをボルト挿通孔５ｃ、２ｂ、５ｃに挿通し、次いでこのボルト９ａにナット９ｂを螺合締付けすることにより、両遮蔽部材５、５が起立刃２の上端部に連結固定されている。
【００５０】
両遮蔽部材５、５において、水平に配置された両水平板部が実質的に遮蔽機能を奏する部位であり、この各水平板部を「遮蔽板部５ａ」と呼ぶ。一方、各遮蔽板部５ａの側縁部から下側に屈曲した垂直板部が、遮蔽部材５を起立刃２の上端部に連結する連結板部５ｂとして機能している。
【００５１】
さらに、上述のように両遮蔽部材５、５が起立刃２の上端部に固定された状態において、両遮蔽部材５、５の遮蔽板部５ａ、５ａは、起立刃２の切れ刃２ａの上側近傍であって且つ起立刃２の切れ刃２ａの左右両側にそれぞれ前後方向に延びて水平に配置されている。さらに、両遮蔽部材５、５の連結板部５ｂ、５ｂの前部は、図５に示すように、起立刃２の切れ刃２ａの下端位置Ｑよりも前方に突出して配置されており、これにより、起立刃２にその切れ刃２ａの下端位置Ｑよりも前方に突出した突出部７が形成されている。すなわち、この突出部７は、両遮蔽部材５、５の連結板部５ｂ、５ｂの前部から構成されている。さらに、この突出部７は、図５に示すように、起立刃２の牽引時には防水層２１の上側に防水層２１に対して離間して配置されるものである。
【００５２】
図６に示すように、両遮蔽部材５、５が互いに組み付けられた状態における両遮蔽板部５ａ、５ａの幅Ｂは、例えば１０３〜１５０ｍｍに設定されており、詳述すると例えば１０６ｍｍに設定されている。
【００５３】
而して、図５に示すように、起立刃２を突出部７から牽引すると、起立刃２の後部には起立刃２の切れ刃２ａの下端（詳述すると水平刃３の切れ刃３ａの刃先）を中心として起立刃２の後部を上昇回転させる回転力が作用し、これにより、牽引時に起立刃２の後部が床面２０ａから浮き上がり易い。もし仮に起立刃２の後部が床面２０ａから浮き上がった場合には、防水層２１の切断を行うことができなくなる。この難点を解消するため、本実施形態の装置１Ａは、起立刃２を下方向に押す押し部材８を備えている。
【００５４】
すなわち、この押し部材８は、起立刃２の牽引時に起立刃２（特に起立刃２の後部）が床面２０ａから浮き上がらないように起立刃２を作業者２５の力で下方向に押すものであり、棒状の鋼材から形成されている。以下では、押し部材８を「押し棒部８」という。
【００５５】
押し棒部８は、両遮蔽部材５、５の遮蔽板部５ａ、５ａの後部に上斜め後方に突出して固定状態に立設されている。すなわち、押し棒部８は、その下端が両遮蔽部材５、５の遮蔽板部５ａ、５ａの後部に溶接などによって固着されることにより固定状態に立設されている。そして、上述したように両遮蔽部材５、５の連結板部５ｂ、５ｂの後部が起立刃２の上端部にボルト９ａ及びナット９ａにより連結固定されることにより、押し棒部８が両遮蔽部材５、５を介して起立刃２の上端部の後部に上斜め後方に突出して連結固定されている。この押し棒部８の長さは、例えば８００〜１４００ｍｍに設定されており、詳述すると例えば１２００ｍｍに設定されている。
【００５６】
さらに、この押し棒部８は、起立刃２の進行方向を調整する操舵部材としても機能するものとなされている。すなわち、図３及び４に示すように、起立刃２の後側から作業者２５が押し棒部８を両手で掴み、起立刃２の牽引時に起立刃２の切れ刃２ａが防水層２１の切断予定線１６（二点鎖線で示す。）に沿って進行するように作業者２５が腕の力で押し棒部８を操作することにより、起立刃２の進行方向を所望する方向に調整しうるものとなされている。
【００５７】
次に、牽引手段１０の構成について以下に詳述する。
【００５８】
この牽引手段１０は、牽引条１１と、該牽引条１１を巻き取る電動ウインチ１２とを備えている。
【００５９】
牽引条１１は、電動ウインチ１２から延びたワイヤロープからなる。ワイヤーの直径は例えば６ｍｍである。牽引条１１の先端側（詳述すると牽引条１１の先端部）は、図５に示すように、起立刃２の突出部７の先端部に設けられた牽引条挿通孔７ａに挿通されて突出部７の先端部に連結されている。
【００６０】
ここで、起立刃２の突出部７は、起立刃２の切れ刃２ａの下端位置Ｑよりも前方に突出していることから、起立刃２の前後方向における突出部７の牽引条１１との連結部７ｂは、起立刃２の切れ刃２ａの下端位置Ｑよりも前方に位置しており、更に水平刃３の切れ刃３ａの刃先位置よりも前方に位置している。起立刃２の前後方向における起立刃２の切れ刃２ａの下端位置Ｑから突出部７の牽引条１１との連結部７ａの位置までの距離Ｆは、例えば３０〜３００ｍｍに設定されており、詳述すると例えば５０ｍｍに設定されている。
【００６１】
また、床面２０ａに対する突出部７の牽引条１１との連結部７ａの位置の高さＧは、防水層２１の厚さＨよりも大きく設定されており、具体的には例えば５５〜９０ｍｍに設定されており、詳述すると例えば７５ｍｍに設定されている。
【００６２】
そして、上述した牽引手段１０は、電動ウインチ１２により牽引条１１を巻き取ることによって、起立刃２をその突出部７から牽引するように構成されている。
【００６３】
図３及び４に示すように、電動ウインチ１２は、床面２０ａに対する電動ウインチ１２の配置位置を変更可能に固定する固定手段として、屋上のパラペット２３に係脱可能に係止する側面視略コ字状のフック部を有する係止部材１４を備えている。そして、この係止部材１４をパラペット２３に係止することにより、床面２０ａに対する電動ウインチ１２の配置位置が固定される一方、係止部材１４をパラペット２３から取り外すことにより、電動ウインチ１２の配置位置を変更しうるものとなされている。なお電動ウインチ１２は、通常、床面２０ａの側端部の位置に配置される。
【００６４】
電動ウインチ１２は、動作電圧が１００Ｖであって例えば０．５ｋＮ〜５ｋＮの巻取り能力を有するものである。
【００６５】
押し棒部８の上部には、電動ウインチ１２の動作を無線信号（例：赤外線信号、電波信号）で遠隔操作するリモコン１３が付設されている。本実施形態では、リモコン１３は押し棒部８の上部に固定状態に取り付けられている。
【００６６】
このリモコン１３には、電動ウインチ１２の動作として、電動ウインチ１２における牽引条１１の巻取り開始スイッチ、巻取り停止スイッチ、巻出し開始スイッチ、巻出し停止スイッチ、巻取り速さ調節つまみ（いずれも図示せず）などが設けられている。そして、押し棒部８を操作する作業者２５が作業状況に応じて所望のスイッチをＯＮ・ＯＦＦ操作したり巻取り速さ調節つまみを操作したりすることによって、リモコン１３の発信部（図示せず）から所定の命令信号が発信されて電動ウインチ１２に設けられた受信アンテナ等の受信部１２ａで受信され、この受信された命令信号に基づいて電動ウインチ１２が動作するものとなされている。
【００６７】
次に、本実施形態の装置１Ａを用いたアスファルト防水層２１の剥離除去方法について以下に説明する。
【００６８】
まず、図７に示すように、屋上の床面２０ａ上に敷設されたアスファルト防水層２１の表面に真直な切断予定線１６を例えば格子状に墨出しする。切断予定線１６のピッチＰは例えば５００〜１０００ｍｍに設定される。ただし本発明では、切断予定線１６のピッチＰは上記の範囲であることに限定されるものではなく、防水層２１と床面２０ａとの接着強度、防水層２１の厚さＨ、防水層２１の硬さ等に応じて設定されるものである。また本発明では、切断予定線１６を格子状に記することに限定されるものではなく、防水層２１と床面２０ａとの接着強度、防水層２１の厚さＨ、防水層２１の硬さ、床面２０ａの平面形状等に応じて様々に変更可能であり、例えば、複数本の切断予定線１６を互いに平行に所定間隔をおいて記しても良い。
【００６９】
次いで、切断予定線１６の延長線上における床面２０ａの一側端部の位置に、電動ウインチ１２を配置するとともに、電動ウインチ固定用係止部材１４をパラペット２３に係止することにより、床面２０ａに対する電動ウインチ１２の配置位置を固定する。そして、電動ウインチ１２から牽引条１１を巻き出しながら、作業者２５が押し棒部８を手で掴んで起立刃２を床面２０ａにおける電動ウインチ１２の配置位置とは反対側の他側端部の位置へ運ぶ。
【００７０】
次いで、この位置に存在する防水層２１の一部をカッターなどで切断して起立刃入口部（図示せず）を形成する。そして、この入口部から起立刃２の切れ刃２ａの下端部及び水平刃３の切れ刃３ａを強制挿入し、これにより、防水層２１の断面にその厚さ方向に沿って起立刃２の切れ刃２ａを当接させるとともに、起立刃２を床面２０ａに対して起立状に配置させ、更に、水平刃３を床面２０ａと防水層２１との間に水平に配置させる［起立刃配置工程］。さらに、作業者２５が押し棒部８で起立刃２を下方向に押す。
【００７１】
次いで、この状態で電動ウインチ１２を巻取り動作させることにより、起立刃２の切れ刃２ａ及び水平刃３の切れ刃３ａをともに前側にして起立刃２及び水平刃３を床面２０ａに沿って牽引条１１で牽引する［牽引工程］。これにより、図３〜６に示すように、防水層２１が起立刃２の切れ刃２ａで床面２０ａに沿う方向（即ち防水層２１の延びる方向）に切断されると同時に、床面２０ａと防水層２１との間が水平刃３の切れ刃３ａで床面２０ａに沿って切断されて、起立刃２による防水層２１の切断部分２２の左右両側部が床面２０ａから剥離される。この切断の際には騒音及び振動は殆ど生じない。なお、電動ウインチ１２の巻取り開始操作は、作業者２５が手で掴んでいる押し棒部８に付設されたリモコン１３により行われる。
【００７２】
また、この牽引工程において、電動ウインチ１２による牽引条１１の巻取り速さを調節することにより、防水層２１の切断速度を適切な速度に設定することができる。例えば、防水層２１の切断速度は４〜２０ｍ／ｍｉｎ等に設定される。なお、電動ウインチ１２の巻取り速さの調節はリモコン１３により行われる。また、起立刃２の切れ刃２ａが防水層２１の切断予定線１６に沿って進行するように作業者２５が腕の力で押し棒部８を操作し、これにより起立刃２の進行方向を所望する方向に調整する。
【００７３】
そして、起立刃２の切れ刃２ａが切断予定線１６の終端位置に到達したら、電動ウインチ１２による牽引条１１の巻取りを停止する。なお、電動ウインチ１２の巻取り停止操作はリモコン１３により行われる。
【００７４】
次いで、作業者２５が押し棒部８を持ち上げることにより、起立刃２及び水平刃３を防水層２１の内部から強制的に抜出する。
【００７５】
次いで、係止部材１４をパラペット２３から取り外し、隣の切断予定線１６の延長線上における床面２０ａの一側端部の位置へ電動ウインチ１２を運ぶ。そして、係止部材１４をパラペット２３に係止することにより、床面２０ａに対する電動ウインチ１２の配置位置を固定する。そして、この切断予定線１６に沿って防水層２１の切断を行う。
【００７６】
以上の手順に従って各切断予定線１６毎に防水層２１の切断を行う。なお、図７において、矢印１７は、電動ウインチ１２の移動方向を示している。
【００７７】
全ての切断予定線１６について防止層２１の切断が終了したら、防水層２１の平面視方形状の切断片の周縁部を手で掴んで切断片を捲り上げる。これにより、切断片が床面２０ａから容易に引き剥がされて床面２０ａから除去される。
【００７８】
而して、本実施形態の装置１Ａは次の利点がある。
【００７９】
この装置１Ａは、防水層２１の断面にその厚さ方向に当接される切れ刃２ａを前縁に有するとともに、床面２０ａに対して起立状に配置される起立刃２と、床面２０ａに対して起立状に配置された起立刃２をその切れ刃２ａを前側にして床面２０ａに沿って牽引する牽引手段１０と、を備えている。したがって、この装置１Ａによれば、床面２０ａに対して起立状に配置された起立刃２を床面２０ａに沿って牽引手段１０により牽引することによって、起立刃２の切れ刃２ａで防水層２１を床面２０ａに沿う方向に切断することができる。これにより、電動ハツリ機を用いた従来の剥離除去方法よりも低振動及び低騒音で防水層２１を剥離除去することができる。
【００８０】
しかも、この装置１Ａは、牽引時に起立刃２の前部の床面２０ａからの浮き上がりを抑制する浮き上がり抑制手段４を備えている。したがって、牽引時に起立刃２の前部が床面２０ａから浮き上がってしまって起立刃２の切れ刃２ａで防水層２１を切断することができなくなる不具合を、浮き上がり抑制手段４により解消することができる。これにより、防水層２１を起立刃２の切れ刃２ａで確実に切断することができる。
【００８１】
さらに、浮き上がり抑制手段４は、起立刃２の下端に固定状態に設けられた水平刃３を備えるとともに、該水平刃３が床面２０ａと防水層２１との間に配置された状態で起立刃２が牽引手段１０により牽引されることにより、起立刃２の前部の床面２０ａからの浮き上がりを抑制するものとなされるとともに、水平刃３の切れ刃３ａで床面２０ａと防水層２１との間を牽引方向１５に切断するものとなされている。これにより、起立刃２の前部の床面２０ａからの浮き上がりを確実に抑制することができるし、その上、水平刃３の切れ刃３ａで床面２０ａと防水層２１との間を切断することができるから、防水層２１の剥離除去作業を更に容易に行うことができる。
【００８２】
しかも、起立刃２の下端に水平刃３が固定状態に設けられているので、牽引時に起立刃２が左右方向に倒れるのを水平刃３によって抑制することができ、これにより、防水層２１の切断を更に容易に行うことができる。
【００８３】
さらに、牽引手段１０は、牽引条１１と、該牽引条１１を巻き取る電動ウインチ１２とを備えるとともに、電動ウインチ１２により牽引条１１を巻き取ることにより、起立刃２を牽引するものとなされているので、起立刃２を牽引方向１５に確実に牽引することができる。
【００８４】
しかも、牽引条１１の先端側が、起立刃２の切れ刃２ａの下端位置Ｑよりも前方に突出した突出部７に連結されているので、起立刃２の前部の床面２０ａからの浮き上がりを更に確実に抑制することができる。したがって、牽引条１１の先端側を起立刃２の切れ刃２ａの下端位置Ｑよりも前方に突出した突出部７に連結することは、起立刃２の前部の床面２０ａからの浮き上がりを抑制する浮き上がり防止手段４の一つと捉えることができる。
【００８５】
さらに、起立刃２を下方に押す押し棒部８（押し部材）が起立刃２に設けられているので、起立刃２を押し棒部８により下方向に押した状態で起立刃２を牽引することにより、起立刃２の前部の床面２０ａからの浮き上がりを更に一層確実に抑制することができるし、更に起立刃２の後部の床面２０ａからの浮き上がりについても抑制することができる。これにより、防水層２１を起立刃２の切れ刃２ａで更に確実に切断することができる。
【００８６】
さらに、押し棒部８は、起立刃２の後部に上方（詳述すると上斜め後方）に突出して設けられているので、作業者２５が押し棒部８により起立刃２の後部を下方向に確実に押すことができる。
【００８７】
しかも、押し棒部８は、起立刃２の進行方向を調整する操舵部材としても機能しているので、牽引時に押し棒部８を操作することにより起立刃２の進行方向を所望する方向に調整することができる。これにより、防水層２１を切断予定線１６に沿って確実に切断することができる。
【００８８】
さらに、起立刃２の切れ刃２ａの上側近傍に、防水層２１の切断時に防水層２１の切れ刃２ａとの当接部から上方へ飛び出る防水層２１の粉砕粒を遮蔽する両遮蔽部材５、５（詳述すると両遮蔽板部５ａ、５ａ）が配置されている。したがって、防水層２１の粉砕粒が外部へ飛び出さないように粉砕粒を両遮蔽部材５、５（両遮蔽板部５ａ、５ａ）によって遮蔽することができ、これにより、押し棒部８を操作している作業者２５の顔等に粉砕粒が当たらないようにすることができる。
【００８９】
しかも、この装置１Ａは、電動ウインチ１２の動作を無線信号で遠隔操作するリモコン１３を備えるとともに、このリモコン１３が押し棒部８に付設されている。したがって、押し棒部８を掴んでいる作業者２５がこのリモコン１３を用いて電動ウインチ１２の動作を遠隔操作することができ、もって作業効率を更に向上させることができる。
【００９０】
而して、上記第１実施形態の装置１Ａでは、水平刃３の切れ刃３ａは、上述したように牽引方向１５に対して直交する方向（即ち左右方向）に真直に延びているが、本発明では、水平刃３の切れ刃３ａはこれに限定されるものではなく、様々に変更可能である。例えば、本発明では、図８に示すように、水平刃３の切れ刃３ａにおける左半分及び右半分がそれぞれ牽引方向１５に対して左斜め後方及び右斜め後方に傾斜していても良い。
【００９１】
図９及び１０は、本発明の第２実施形態に係る防水層（床面被覆層）の剥離除去装置１Ｂを説明する図である。この装置１Ｂの構成について上記第２実施形態の装置１Ａとは異なる点を中心に以下に説明する。
【００９２】
この装置１Ｂにおいて、起立刃２の突出部７の突出長さは、上記第１実施形態の装置１Ａの突出部７よりも長く設定されている。
【００９３】
さらに、この装置１Ｂは、起立刃２の牽引時に防水層２１上を牽引方向１５に走行（滑走を含む。）する走行手段として、起立刃２の突出部７の左右両側に配置された左右一対のそり状の滑走板部６、６を備えている。
【００９４】
すなわち、起立刃２の突出部７の先端部には、左右方向に突出した左右一対の支持アーム部６ａ、６ａが溶接やボルトなどによって連結固定されており、各支持アーム部６ａの先端部に、それぞれ対応する滑走板部６が固着されている。
【００９５】
また、この装置１Ｂは押し棒部（押し部材８）を備えていない。
【００９６】
この装置１Ｂのその他の構成は、上記第１実施形態の装置１Ａと同じである。
【００９７】
この装置１Ｂによれば、起立刃２の突出部７に左右一対の滑走板部６、６が支持アーム部６ａ、６ａを介して連結固定されているので、起立刃２の牽引時に起立刃２の後部を下方向に押さなくても、起立刃２の後部の床面２０ａからの浮き上がりを抑制することができる。したがって、図１０に示すように、防水層２１の上方に押し棒部が干渉する障害物２４が存在している場合であっても、障害物２４に関係なく当該防水層２１を切断することができる。なお、図１０では、障害物２４として、冷暖房装置の室外機や貯水タンクなどが上に設置される複数の設置フレームが図示されている。
【００９８】
なお本発明では、この装置１Ｂにおける走行手段は、滑走板部６であることに限定されるものではなく、様々に変更可能であり、その他に例えば車輪であっても良い。
【００９９】
また本発明は、この装置１Ｂにおける起立刃２に押し棒部８（押し部材）を設けることを妨げるものではなく、すなわち上記第１実施形態の装置１Ａのように押し棒部８が起立刃２に設けられていても良い。
【０１００】
以上で本発明の幾つかの実施形態について説明したが、本発明は、上記実施形態に示したものであることに限定されるものではないし、上記実施形態の装置の各部位の寸法に限定されるものでもない。
【０１０１】
また、本発明は、被覆層がアスファルト防水層２１であることに限定されるものではなく、様々な種類の被覆層に適用可能である。例えば、被覆層は、樹脂（例：熱可塑性樹脂、軟質合成樹脂）やゴムで形成された防水層（例：防水シート）であっても良い。
【０１０２】
さらに、本発明は、被覆層が屋上の床面上に敷設されるものであることに限定されるものではなく、様々な床面に敷設される被覆層に適用可能である。例えば、被覆層は、屋内の廊下や室内の床面上に敷設されるプラスチックタイルやリノリウム等の被覆層であっても良い。
【０１０３】
ここで、アスファルト防水層２１は、一般にトーチ工法によって床面２０ａ上にその全面に亘って接合固定された状態に敷設されるし硬いため、樹脂やゴムで形成された防水層及びプラスチックタイルやリノリウム被覆層に比べて床面２０ａから剥離除去するのが非常に困難であるが、本発明に係る剥離除去装置を用いると、後述する実施例に示すようにアスファルト防水層２１を短期間で剥離除去することができる。したがって、本発明に係る剥離除去装置及び方法は、様々な被覆層のうち特にアスファルト防水層２１を剥離除去する場合に非常に有効である。
【実施例】
【０１０４】
次に、具体的な実施例を以下に示す。
【０１０５】
コンクリート建築物の屋上の床面２０ａ上にトーチ工法によって敷設された厚さ３０ｍｍのアスファルト防水層２１（床面積：２００ｍ2）を作業者２人で剥離除去する場合において、電動ハツリ機を用いた従来の方法では、防水層２１を剥離除去するのに要した作業日数は３日であったが、上記第１実施形態の装置１Ａを用いると作業日数は１日ですみ、従来の方法よりも作業効率を約３倍に向上させることができた。
【産業上の利用可能性】
【０１０６】
本発明は、屋上の床面や屋内の床面等に敷設された被覆層を床面から剥離除去する装置及び方法に利用可能である。
【図面の簡単な説明】
【０１０７】
【図１】図１は、本発明の第１実施形態に係る防水層（床面被覆層）の剥離除去装置の斜視図である。
【図２】図２は、同装置の分解斜視図である。
【図３】図３は、同装置を用いて防水層を切断する途中の状態を示す斜視図である。
【図４】図４は、図３の状態から防水層の切断が進行した状態を示す斜視図である。
【図５】図５は、同装置を用いて防水層を切断する途中の状態を示す断面図である。
【図６】図６は、図５中のＸ−Ｘ線断面図である。
【図７】図７は、防水層の切断予定線を示す屋上の平面図である。
【図８】図８は、同装置における水平刃の一変形例を示す斜視図である。
【図９】図９は、本発明の第２実施形態に係る防止層の剥離除去装置の斜視図である。
【図１０】図１０は、同装置を用いて防水層を切断する途中の状態を示す断面図である。
【符号の説明】
【０１０８】
１：防水層の剥離除去装置（床面被覆層の剥離除去装置）
２：起立刃
２ａ：起立刃の切れ刃
３：水平刃
３ａ：水平刃の切れ刃
４：浮き上がり抑制手段
５：遮蔽部材
６：滑走板部（走行手段）
７：突出部
８：押し棒部（押し部材）
１０：牽引手段
１１：牽引条
１２：電動ウインチ
１３：リモコン
１５：牽引方向
１６：切断予定線
２０：躯体
２０ａ：床面
２１：防水層（被覆層）
２２：切断部
２５：作業者
【図１】
2009144459.tif 000003
【図２】
2009144459.tif 000004
【図３】
2009144459.tif 000005
【図４】
2009144459.tif 000006
【図５】
2009144459.tif 000007
【図６】
2009144459.tif 000008
【図７】
2009144459.tif 000009
【図８】
2009144459.tif 000010
【図９】
2009144459.tif 000011
【図１０】
2009144459.tif 000012